【手続補正書】
【提出日】平成24年7月24日(2012.7.24)
【手続補正１】
【補正対象書類名】特許請求の範囲
【補正対象項目名】全文
【補正方法】変更
【補正の内容】
【特許請求の範囲】
【請求項１】
一以上の入力ビデオ信号から複数の第１の視野画像および複数の第２の視野画像を取得する取得部と、
前記複数の第１の視野画像および前記複数の第２の視野画像の差から複数の差分イメージを算出するプロセッサと、
一以上の出力ビデオストリームに前記複数の第１の視野画像と前記複数の差分イメージとを含めて出力するエンコーダであって、前記出力ビデオストリームが、前記複数の差分イメージが前記一以上の出力ビデオストリーム内に存在するか否かをデコーダに対して示すためのデータを含む、前記複数の第１の視野画像のそれぞれと関連付けられているヘッダと、前記複数の第１の視野画像と、前記複数の差分イメージとを含む、該エンコーダと、
を備える立体デジタルビデオを符号化するシステム。
【請求項２】
前記システムがケーブルシステム、高品位テレビシステム、衛星テレビシステム、光ディスクシステム、およびデジタルテレビシステムのうちの少なくとも一つの一部である、
請求項１に記載のシステム。
【請求項３】
前記エンコーダが更に前記複数の差分イメージのエラー訂正を実行する、
請求項１に記載のシステム。
【請求項４】
前記取得部が、立体デジタルビデオを撮影するカメラを備える、
請求項１に記載のシステム。
【請求項５】
前記プロセッサが前記複数の差分イメージを複数のＢタイプイメージフレームまたは複数のＰタイプイメージフレームとして算出する、
請求項１に記載のシステム。
【請求項６】
前記エンコーダが、前記一以上の出力ビデオストリームが複数の差分イメージを含むことを示す前記ヘッダ内に所定のビット集合を格納する、
請求項１に記載のシステム。
【請求項７】
前記エンコーダが前記複数の差分イメージ固有のデータ構造に前記複数の差分イメージを格納する、
請求項１に記載のシステム。
【請求項８】
前記一以上の出力ビデオストリームが複数のビデオストリームを含む、
請求項１に記載のシステム。
【請求項９】
前記一以上の出力ビデオストリームがＭＰＥＧ互換のビデオストリームである、
請求項１に記載のシステム。
【請求項１０】
前記エンコーダが前記ヘッダおよび第１の視野フレームを第１のビデオストリームに格納し、前記複数の差分イメージを所定のデータ構造に格納する、
請求項１に記載のシステム。
【請求項１１】
前記差分イメージが、前記第１の視野画像と前記第２の視野画像との差を測定することで算出される動きベクトルを含む、
請求項１に記載のシステム。
【請求項１２】
一以上の入力ビデオ信号から複数の第１の視野画像および複数の第２の視野画像を取得する少なくとも一つのバッファと、
前記複数の第１の視野画像および前記複数の第２の視野画像の差から複数の差分イメージを算出する算出手段と、
一以上の出力ビデオストリームに前記複数の第１の視野画像と前記複数の差分イメージとを格納する格納手段であって、前記出力ビデオストリームが、前記複数の差分イメージが前記一以上の出力ビデオストリーム内に存在するか否かをデコーダに対して示すためのデータを含む、前記複数の第１の視野画像のそれぞれと関連付けられているヘッダと、前記複数の第１の視野画像と、前記複数の差分イメージとを含む、該格納手段と、
を備える立体ビデオ符号化システム。
【請求項１３】
前記少なくとも一つのバッファがデジタル信号プロセッサの一部である、
請求項１２に記載のシステム。
【請求項１４】
前記システムがケーブルシステム、高品位テレビシステム、衛星テレビシステム、光ディスクシステム、およびデジタルテレビシステムのうちの少なくとも一つの一部である、
請求項１２に記載のシステム。
【請求項１５】
前記複数の差分イメージのエラー訂正を実行するエラー訂正手段を更に備える、
請求項１２に記載のシステム。
【請求項１６】
前記算出手段が前記複数の差分イメージを複数のＢタイプイメージフレームまたは複数のＰタイプイメージフレームとして算出する、
請求項１２に記載のシステム。
【請求項１７】
前記格納手段が、前記一以上の出力ビデオストリームが複数の差分イメージを含むことを示す前記ヘッダ内に所定のビット集合を格納する、
請求項１２に記載のシステム。
【請求項１８】
前記格納手段が前記複数の差分イメージ固有のデータ構造に前記複数の差分イメージを格納する、
請求項１２に記載のシステム。
【請求項１９】
前記一以上の出力ビデオストリームが複数のビデオストリームを含む、
請求項１２に記載のシステム。
【請求項２０】
前記一以上の出力ビデオストリームがＭＰＥＧ互換のビデオストリームである、
請求項１２に記載のシステム。
【請求項２１】
前記格納手段が前記ヘッダおよび第１の視野フレームを第１のビデオストリームに格納し、前記複数の差分イメージを所定のデータ構造に格納する、
請求項１２に記載のシステム。
【請求項２２】
前記差分イメージが、前記第１の視野画像と前記第２の視野画像との差を測定することで算出される動きベクトルを含む、
請求項１２に記載のシステム。
【請求項２３】
一以上の入力ビデオ信号から複数の第１の視野画像および複数の第２の視野画像を取得する取得ステップと、
前記複数の第１の視野画像および前記複数の第２の視野画像の差から複数の差分イメージを算出する算出ステップと、
一以上の出力ビデオストリームに前記複数の第１の視野画像と前記複数の差分イメージとを格納する格納ステップであって、前記出力ビデオストリームが、前記複数の差分イメージが前記一以上の出力ビデオストリーム内に存在するか否かをデコーダに対して示すためのデータを含む、前記複数の第１の視野画像のそれぞれと関連付けられているヘッダと、前記複数の第１の視野画像と、前記複数の差分イメージとを含む、該格納ステップと、
を含む立体ビデオ符号化方法。
【請求項２４】
前記方法が、ケーブルシステム、高品位テレビシステム、衛星テレビシステム、光ディスクシステム、およびデジタルテレビシステムのうちの少なくとも一つの一部として実行される、
請求項２３に記載の方法。
【請求項２５】
前記複数の差分イメージのエラー訂正を実行するエラー訂正ステップを更に含む、
請求項２３に記載の方法。
【請求項２６】
前記一以上の出力ビデオストリームが複数の差分イメージを含むことを示す前記ヘッダ内に所定のビット集合が格納される、
請求項２３に記載の方法。
【請求項２７】
前記複数の差分イメージが、該複数の差分イメージ固有のデータ構造に格納される、
請求項２３に記載の方法。
【請求項２８】
前記一以上の出力ビデオストリームがＭＰＥＧ互換のビデオストリームである、
請求項２３に記載の方法。
【請求項２９】
前記複数の差分イメージが、複数のＢタイプイメージフレームまたは複数のＰタイプイメージフレームとして算出する、
請求項２８に記載の方法。
【請求項３０】
前記ヘッダおよび前記複数の第１の視野画像が第１のビデオストリームに格納され、前記複数の差分イメージが所定のデータ構造に格納される、
請求項２３に記載の方法。
【請求項３１】
前記差分イメージが、前記第１の視野画像と前記第２の視野画像との差を測定することで算出される動きベクトルを含む、
請求項２３に記載の方法。
【請求項３２】
一以上の入力ビデオ信号から第１の視野画像及び第２の視野画像を取得する取得部と、
前記第１の視野画像及び前記第２の視野画像の差を判定することで差分を算出するプロセッサと、
エンコーダであって、
第１のビデオストリーム内のヘッダに記憶される複数のビットパターンから選択する処理であって、複数のビットパターンが第１のビットパターン及び第２のビットパターンを含み、該第１のビットパターンが、前記ヘッダを読むデコーダに対して、デジタルビデオが立体デジタルビデオではないことを示し、該第２のビットパターンが、前記ヘッダを読むデコーダに対して、デジタルビデオが立体デジタルビデオであることを示す、該処理と、
前記第１のビデオストリーム内のヘッダに、前記第２のビットパターンに対応するビット集合を格納する処理と、
前記第１のビデオストリームに前記第１の視野画像を格納する処理と、
第２のビデオストリームに前記差分を格納する処理と、
立体デジタルビデオの前記第１のビデオストリーム及び前記第２のビデオストリームを出力する処理と、
を実行する該エンコーダと、
を備える、立体デジタルビデオを符号化するシステム。
【請求項３３】
前記プロセッサが前記差分をＢタイプイメージフレームまたはＰタイプイメージフレームとして算出する、
請求項３２に記載のシステム。
【請求項３４】
前記エンコーダが前記差分のエラー訂正を更に実行する、
請求項３２に記載のシステム。
【請求項３５】
前記第１のビデオストリーム及び前記第２のビデオストリームがＭＰＥＧ互換のビデオストリームである、
請求項３２に記載のシステム。
【請求項３６】
前記ヘッダが、デジタルビデオのアスペクト比を示すビット列を更に有する、
請求項３２に記載のシステム。
【請求項３７】
前記アスペクト比を示すビット列が、立体デジタルビデオのアスペクト比を示す第１のビット集合と、二次元デジタルビデオのアスペクト比を示す第２のビット集合とを有する、
請求項３６に記載のシステム。
【請求項３８】
一以上の入力ビデオ信号から第１の視野画像及び第２の視野画像を取得する取得ステップと、
前記第１の視野画像及び前記第２の視野画像の差を判定することで差分を算出する算出ステップと、
第１のビデオストリーム内のヘッダに記憶される複数のビットパターンから選択する選択ステップであって、複数のビットパターンが第１のビットパターン及び第２のビットパターンを含み、該第１のビットパターンが、前記ヘッダを読むデコーダに対して、デジタルビデオが立体デジタルビデオではないことを示し、該第２のビットパターンが、前記ヘッダを読むデコーダに対して、デジタルビデオが立体デジタルビデオであることを示す、該選択ステップと、
前記第１のビデオストリーム内のヘッダに、前記第２のビットパターンに対応するビット集合を格納する第１格納ステップと、
前記第１のビデオストリームに前記第１の視野画像を格納する第２格納ステップと、
第２のビデオストリームに前記差分を格納する第３格納ステップと、
立体デジタルビデオの前記第１のビデオストリーム及び前記第２のビデオストリームを出力する出力ステップと、
を含む、立体デジタルビデオを符号化する方法。
【請求項３９】
前記差分がＢタイプイメージフレームまたはＰタイプイメージフレームとして算出される、
請求項３８に記載の方法。
【請求項４０】
前記差分のエラー訂正を実行する訂正ステップを更に含む請求項３８に記載の方法。
【請求項４１】
前記第１のビデオストリーム及び前記第２のビデオストリームがＭＰＥＧ互換のビデオストリームである、
請求項３８に記載の方法。